(57)【要約】【課題】通電ケーブルの結線時にコネクタが確実にロックしたことを検知するコネクタの接続状態判定装置を提供する。【解決手段】加速度センサ１を備え作業者の指先に着装する指サックと、加速度センサ１により通電ケーブルのコネクタ嵌合時の加速度信号を転送する発信機３と、発信機３から加速度信号を受信する受信機４と、受信機４で受信した加速度信号を予め記憶された周波数、音圧レベル、時間、距離の適切な接続のマスタデータと比較解析してコネクタ接続状態の適否を判定する高速フーリエ変換器５とから構成した。【選択図】図１
2008226506.tif 000002
【特許請求の範囲】
【請求項１】
加速度センサを備え作業者の指先に着装する指サックと、前記加速度センサにより通電ケーブルのコネクタ嵌合時の加速度信号を転送する発信機と、この発信機から前記加速度信号を受信する受信機と、この受信機で受信した前記加速度信号を予め記憶された周波数、音圧レベル、時間、距離の適切な接続のマスタデータと比較解析してコネクタ接続状態の適否を判定する高速フーリエ変換器とから構成したことを特徴とするコネクタの接続状態判定装置。
【請求項２】
高速フーリエ変換器はコネクタ接続状態の不適切を判定したとき警報器に出力して警告音を吹鳴するようにした請求項１に記載のコネクタの接続状態判定装置。
【発明の詳細な説明】
【技術分野】
【０００１】
本発明は、コネクタの接続状態判定装置に関するものである。
【背景技術】
【０００２】
従来、通電ケーブルを雌雄（ソケット側・プラグ側）のコネクタ１２で接続結線するには図４で示すように、コネクタ１２が嵌合する時の爪による「カッチン音」により作業者が認識して作業を行っている。
【０００３】
作業中には外音があり、前記「カッチン音」が外音に妨げられて聞きとれない場合があり、接続不適切のハーフロック状態となることがある。コネクタ１２がハーフロック状態となると通電機能が正常に作動しない等の不具合が発生する。
【特許文献１】特開２００４−１２５７１１公報
【特許文献２】特開２００６−７３２１３公報
【発明の開示】
【発明が解決しようとする課題】
【０００４】
本発明は、通電ケーブルの結線時にコネクタが確実にロックしたことを検知するコネクタの接続状態判定装置を提供することを目的とする。
【課題を解決するための手段】
【０００５】
本発明は、この目的を達成するために、請求項１に記載の通り、加速度センサを備え作業者の指先に着装する指サックと、前記加速度センサにより通電ケーブルのコネクタ嵌合時の加速度信号を転送する発信機と、この発信機から前記加速度信号を受信する受信機と、この受信機で受信した前記加速度信号を予め記憶された周波数、音圧レベル、時間、距離の適切な接続のマスタデータと比較解析してコネクタ接続状態の適否を判定する高速フーリエ変換器（ＦＦＴ）とから構成したことを特徴とするものである。
【０００６】
請求項２に記載の通り、前記高速フーリエ変換器（ＦＦＴ）はコネクタ接続状態の不適切を判定したとき警報器に出力して警告音を吹鳴するようにしたものである。
【発明の効果】
【０００７】
本発明によれば、作業者によるコネクタの嵌合による通電ケーブルの結線作業で高速フーリエ変換器（ＦＦＴ）にてコネクタ接続状態の適否を判定するため、外音に妨げられることなくコネクタが確実にロックしたことを検知することができ、コネクタの接続状態不適切な場合は警報器により警告音を吹鳴することによりハーフロック状態による不具合を防止することができ、生産機械等への通電異常による加工品質不良の低減や手直し工数の低減が図れるという効果を有している。
【発明を実施するための最良の形態】
【０００８】
以下本発明を実施するための最良の形態について図面に基づいて説明する。図１において、１は加速度センサであり、３は前記加速度センサ１により通電ケーブルのコネクタ嵌合時の加速度信号を転送する発信機である。
【０００９】
前記加速度センサ１は作業者の親指等に着装する指サックに固定し、その上から作業用の手袋をはめる。また、前記発信機３は作業者の胸ポケット等に収納し、加速度センサ１から発信機３まではコードで繋ぐ。
【００１０】
さらに、前記発信機３から前記加速度信号を受信する受信機４と、この受信機４で受信した前記加速度信号を予め記憶された周波数、音圧レベル、時間、距離の適切な接続のマスタデータと比較解析してコネクタ接続状態の適否を判定する高速フーリエ変換器５（ＦＦＴ）とから構成 されている。
【００１１】
本発明装置によるコネクタ接続状態の適否を判定処理を図２のフローで説明する。コネクタによる結線作業開始のステップ６でｙｅｓの場合はデータ収集のステップ７に進み、nｏの場合は結線作業開始のステップ６に戻る。
【００１２】
前記データ収集のステップ７から線作業終了のステップ８に進み、ｙｅｓの場合は高速フーリエ変換器５（ＦＦＴ）によりデータ解析のステップ９に進み、nｏの場合はデータ収集のステップ７に戻り再び線作業終了のステップ８に進む。
【００１３】
前記データ解析のステップ９では加速度センサ１により通電ケーブルのコネクタ嵌合時の加速度信号を高速フーリエ変換器５（ＦＦＴ）で予め記憶された周波数、音圧レベル、時間、距離の適切な接続の基準データと比較解析してコネクタ接続状態の適否を判定し、ステップ１０で適切な嵌合ｙｅｓと判定の場合は判定処理が終了し、嵌合不適切のnｏの場合はステップ１１で警報を出力し警報器により警告音を吹鳴して作業者に報知する。
【００１４】
コネクタの嵌合時の高速フーリエ変換器５（ＦＦＴ）よる解析データについて図３で説明する。図３のＡはコネクタ嵌合が不適切のハーフロック状態の解析データであり、この場合は直ちに警報を出力し警報器により警告音を吹鳴する。図３のＢはコネクタが適切に嵌合しているロック状態の解析データである。つまり、加速度センサ１により取得が可能な周波数、音圧レベル、時間、距離の組み合わせについて、コネクタの適正な嵌合時のマスタデータと比較解析してコネクタ接続状態の適否を判定処理するのである。
【００１５】
そこで、コネクタには各種類があり、この各種類のコネクタに対応する手段としては、各種類のコネクタ毎に適正な嵌合時のマスタデータを保持する。
【００１６】
また、誤作動防止については、生産指示情報とリンクさせ、あるべきマスタデータと同じ信号が来ない時をＮＧとする。これにより、誤作動しても安全なように警報を出すことになる。
【００１７】
このように本発明装置では、作業者によるコネクタの嵌合の作業時にコネクタが確実にロックしたことが検知され、ロックされなかった場合には警報器により警告音を吹鳴することにより外音に妨げられることなくハーフロック状態による不具合を防止することができる利点を有している。
【図面の簡単な説明】
【００１８】
【図１】本発明装置の構成図
【図２】本発明装置による処理フローチャート
【図３】コネクタ嵌合時の解析データ
【図４】従来のコネクタ嵌合時の適否を判定の説明図
【符号の説明】
【００１９】
１       加速度センサ１
２       手袋
３       発信機
４       受信機
５       高速フーリエ変換器
【図１】
2008226506.tif 000003
【図２】
2008226506.tif 000004
【図３】
2008226506.tif 000005
【図４】
2008226506.tif 000006